(57)【要約】【課題】ユーザがデジタルサイネージの存在に気付いたときに、このサイネージに表示されている情報の一部を見えなくして、宣伝効果を高める。【解決手段】表示制御装置は、広告画像が表示される画面を視認するユーザを捕捉する。ユーザが捕捉されると、表示制御装置は、捕捉されたユーザから画面までの距離を測定する。そして表示制御装置は、測定される距離に応じて，画面に表示される広告画像の一部を不可視化する。【選択図】図５
2014026040.tif 000002
【特許請求の範囲】
【請求項１】
画面に広告画像を表示させる再生手段と、
前記画面を視認するユーザを捕捉する捕捉手段と、
この捕捉手段により捕捉されたユーザから前記画面までの距離を測定する測定手段と、
この測定手段により測定される距離に応じて，前記再生手段により前記画面に表示される広告画像の一部を不可視化する不可視化手段と、
を具備したことを特徴とする表示制御装置。
【請求項２】
前記不可視化手段は、前記測定手段により測定される距離が第１の距離以下でこの第１の距離より短い第２の距離以上のとき前記広告画像の一部を不可視化し、前記距離が前記第２の距離未満になると可視化することを特徴とする請求項１記載の表示制御装置。
【請求項３】
前記広告画像には、その一部が不可視化されている不可視化画像と、不可視化されていない標準画像とがあり、
前記不可視化手段は、前記捕捉手段によりユーザが捕捉されるまでは前記標準画像を選択して前記再生手段に出力し、前記捕捉手段によりユーザが捕捉されかつ前記測定手段により測定される距離が第１の距離以下でこの第１の距離より短い第２の距離以上のとき前記不可視化画像を選択して前記再生手段に出力し、前記距離が前記第２の距離未満になると前記標準画像を再び選択して前記再生手段に出力することを特徴とする請求項２記載の表示制御装置。
【請求項４】
前記広告画像に重なることで前記広告画像の一部を不可視化するマスク画像を記憶する記憶手段、をさらに具備し、
前記不可視化手段は、前記捕捉手段によりユーザが捕捉されるまでは前記広告画像をそのまま前記再生手段に出力し、前記捕捉手段によりユーザが捕捉されかつ前記測定手段により測定される距離が第１の距離以下でこの第１の距離より短い第２の距離以上のとき前記広告画像に前記マスク画像を重ねた画像を前記再生手段に出力し、前記距離が前記第２の距離未満になると再び前記広告画像をそのまま前記再生手段に出力することを特徴とする請求項２記載の表示制御装置。
【請求項５】
前記不可視化手段により不可視化される前記広告画像の一部は、広告対象商品の価格であることを特徴とする請求項１〜４のうちいずれか１に記載の表示制御装置。
【請求項６】
広告画像を表示するための表示器を接続してなるコンピュータに、
前記表示器の画面に広告画像を表示させる機能、
前記画面を視認するユーザを捕捉する機能、
捕捉されたユーザから前記画面までの距離を測定する機能、及び
前記距離に応じて，前記画面に表示される広告画像の一部を不可視化する機能、
を実現させるための表示制御プログラム。
【発明の詳細な説明】
【技術分野】
【０００１】
本発明の実施形態は、例えばデジタルサイネージ（電子看板）に表示される広告画像を制御する表示制御装置及びコンピュータを当該表示制御装置として機能させるための表示制御プログラムに関する。
【背景技術】
【０００２】
近年、広告ツールとしてデジタルサイネージシステムが普及している。このシステムは、店舗や駅などの公共の場所に設置されたデジタルサイネージ（電子看板）に広告画像を表示させることで、不特定多数のユーザに対して広告を行うものである。広告画像は、動画または静止画のどちらでもよい。
【０００３】
ただし、単にデジタルサイネージに広告画像を表示するだけでは、ユーザの興味をひきつけることができない。そこで、人の目を引くような派手な画像を表示したり、人の動きに合わせて表示する内容を変えたりすることで、ユーザの注目度を高める工夫が従来からなされている。
【先行技術文献】
【特許文献】
【０００４】
【特許文献１】特開２０１１−１６４４２１号公報
【発明の概要】
【発明が解決しようとする課題】
【０００５】
ユーザがデジタルサイネージの存在に気付いたときに、このサイネージに表示されている情報の一部が見えなくなると、大抵のユーザは、その部分に何が表示されていたのか興味を持つ。そして興味を持ったユーザは、デジタルサイネージに表示されている広告画像に注目するので、宣伝効果が高くなる。
【０００６】
本発明が解決しようとする課題は、ユーザがデジタルサイネージの存在に気付いたときに、このサイネージに表示されている情報の一部を見えなくすることで、宣伝効果を高め得る表示制御技術を提供しようとするものである。
【課題を解決するための手段】
【０００７】
一実施形態において、表示制御装置は、再生手段と、捕捉手段と、測定手段と、不可視化手段とを具備する。再生手段は、画面に広告画像を表示させる。捕捉手段は、前記画面を視認するユーザを捕捉する。測定手段は、捕捉されたユーザから前記画面までの距離を測定する。不可視化手段は、測定手段により測定される距離に応じて，前記画面に表示される広告画像の一部を不可視化する。
【図面の簡単な説明】
【０００８】
【図１】第１の実施形態におけるデジタルサイネージシステムの構成を示すブロック図。
【図２】デジタルサイネージの一態様を示す図。
【図３】電子カメラの一態様を示す図。
【図４】第１の実施形態における切替制御部の制御手順を示す流れ図。
【図５】第１の実施形態におけるデジタルサイネージの画面変遷例を示す模式図。
【図６】第２の実施形態におけるデジタルサイネージシステムの構成を示すブロック図。
【図７】第２の実施形態における切替制御部の制御手順を示す流れ図。
【図８】第２の実施形態におけるデジタルサイネージの画面変遷例を示す模式図。
【発明を実施するための形態】
【０００９】
以下、表示制御装置の実施形態について、図面を用いて説明する。  
なお、この実施形態では、広告媒体であるデジタルサイネージ（電子看板）に表示される広告画像を制御する表示制御装置について説明する。
【００１０】
［第１の実施形態］
始めに、第１の実施形態について、図１〜５を用いて説明する。
【００１１】
図１は、デジタルサイネージシステムの構成を示すブロック図である。デジタルサイネージシステムは、デジタルサイネージ１と、コンテンツ記憶部２と、電子カメラ３と、表示制御装置４とを含む。デジタルサイネージ１は、不特定多数のユーザに対する広告ツールとして店舗や駅等の公共の場所に設置され、表示制御装置４の制御により、動画または静止画の広告画像を表示する。
【００１２】
デジタルサイネージ１の一態様を図２に示す。図２のデジタルサイネージ１は、スタンド１１に映像ディスプレイ１２を取り付けた形態をなしている。かようなデジタルサイネージ１は、スタンド１１を配置可能な場所であればどこでも設置することができる。なお、デジタルサイネージ１の態様は図２に示すものに限定されない。例えば、映像ディスプレイ１２を壁面に埋設したり固定したりすることで、デジタルサイネージ１を構成してもよい。
【００１３】
コンテンツ記憶部２は、例えばハードディスク、フラッシュメモリ等の書き換え可能な記憶媒体であり、広告画像となる複数の広告コンテンツを記憶する。１つの広告コンテンツは、標準画像２１と不可視化画像２２との一対のデータからなる。不可視化画像２２は、対応する標準画像２１の一部の表示データを消去して、そのデータ表示領域を不可視化したものである。
【００１４】
電子カメラ３は、デジタルサイネージ１を構成する映像ディスプレイ１２の画面よりも手前側の空間領域を上記画面側から撮影するもので、撮像部３１と、画像メモリ３２と、距離センサ３３とを含む。撮像部３１は、ＣＭＯＳ，ＣＣＤなどの撮像素子を利用して撮影領域のフレーム画像を電気信号に変換する。画像メモリ３２は、撮像部３１から電気信号に変換されて出力されるフレーム画像のデータを順次記憶する。距離センサ３３は、上記映像ディスプレイ１２の画面から撮影領域内の任意の移動体までの距離を、例えばレーザ光を利用して計測する。なお、デジタルサイネージ１は、前述したように店舗や駅等の公共の場所に設置されるので、移動体は、ユーザ（人物）であると想定される。
【００１５】
電子カメラ３の一態様を図３に示す。図３の電子カメラ３は、レンズ３Ａと同一平面にレーザ光の投受光窓３Ｂが形成されている。撮像部３１は、レンズ３Ａによってカメラ３の内部に導かれた光を撮像素子の受光面に入射することで、撮影領域を撮像する。距離センサ３３は、投受光窓３Ｂから投光されたレーザ光が物体に反射して投受光窓３Ｂに戻ってくるまでの時間により、投受光窓３Ｂから物体（移動体）までの距離を測定する。このため、電子カメラ３は、映像ディスプレイ１２の画面と同一の平面にレンズ３Ａと投受光窓３Ｂとが位置するように、デジタルサイネージ１の近傍に設置される。なお、電子カメラ３の態様は、図３のものに限定されない。例えば電子カメラ３とは別に距離センサ３３を設けることで、距離センサ３３を持たない電子カメラ３を用いてもよい。この場合、電子カメラ３は、必ずしもデジタルサイネージ１の近傍に設置されていなくてもよい。
【００１６】
表示制御装置４は、コンテンツ読出部４１、コンテンツ解析部４２、標準画像記憶部４３、不可視化画像記憶部４４、画像切替部４５、画像再生部４６、移動体捕捉部４７、距離測定部４８及び切替制御部４９を含む。
【００１７】
コンテンツ読出部４１は、予め設定されたスケジュールに従って、コンテンツ記憶部２から広告コンテンツを読み出す。コンテンツ解析部４２は、コンテンツ読出部４１で読み出された広告コンテンツを解析して、標準画像２１と不可視化画像２２とに分ける。標準画像記憶部４３は、コンテンツ解析部４２で解析された標準画像２１を記憶する。不可視化画像記憶部４４は、コンテンツ解析部４２で解析された不可視化画像２２を記憶する。画像切替部４５は、標準画像記憶部４３に記憶される標準画像２１と不可視化画像記憶部４４に記憶される不可視化画像２２とのうちいずれか一方の画像を選択して、画像再生部４６に出力する。画像再生部４６は、画像切替部４５から与えられる標準画像２１または不可視化画像２２を、デジタルサイネージ１の映像ディスプレイ１２に表示させる。
【００１８】
移動体捕捉部４７は、画像メモリ３２に順次保存されるフレーム画像を比較して、電子カメラ３の撮影領域内を移動する移動体を捕捉する。距離測定部４８は、移動体捕捉部４７で捕捉された移動体の方向を認識し、その方向に距離センサ３３からレーザ光を投光させて、映像ディスプレイ１２の画面から移動体までの距離を測定する。切替制御部４９は、映像ディスプレイ１２の画面から移動体までの距離に応じて、画像切替部４５が選択する画像を切換える。
【００１９】
ここに、表示制御装置４は、デジタルサイネージ１の画面である映像ディスプレイ１２に広告画像を表示させる再生手段として、画像再生部４６を備える。また、表示制御装置４は、映像ディスプレイ１２に表示される広告画像を視認するユーザを捕捉する捕捉手段として移動体捕捉部３７を備え、捕捉されたユーザから映像ディスプレイ１２の画面までの距離を測定する測定手段として距離測定部４８を備え、測定距離に応じて映像ディスプレイ１２の画面に表示される広告画像の一部を不可視化する不可視化手段として画像切替部４５及び切替制御部４９を備える。
【００２０】
図４は、切替制御部４９の制御手順を示す流れ図である。この手順は、図示しないプログラムメモリに格納された表示制御プログラムにしたがい、コンピュータであるＣＰＵ（Central Processing Unit）によって実現される。
【００２１】
先ず、切替制御部４９は、画像切替部４５に対して標準画像の選択を指示する（ＳＴ１）。この指示により、画像切替部４５は、標準画像記憶部４３に記憶されている標準画像２１のデータを画像再生部４６に出力する。かくして、デジタルサイネージ１の映像ディスプレイ１２には、標準画像２１が表示される。標準画像２１の一例を、図５の画面５１に示す。この例は、広告商品であるデジタルテレビジョンの画像とその価格とを示す広告画像を標準画像２１としている。
【００２２】
次に、切替制御部４９は、移動体捕捉部４７によって移動体が捕捉されるのを待機する（ＳＴ２）。移動体が捕捉されるまでの間、切替制御部４９は、画像切替部４５に対して画像の切替を指示しない。したがって、映像ディスプレイ１２には、標準画像２１が表示され続ける。
【００２３】
移動体が捕捉されると（ＳＴ２にてＹＥＳ）、切替制御部４９は、その移動体が映像ディスプレイ１２の画面の側に近づいてきているか否かを確認する（ＳＴ３）。移動体捕捉部４７で順次捕捉される移動体の位置から、移動体が映像ディスプレイ１２の画面の側に近づいてきていないと確認した場合（ＳＴ３にてＮＯ）、切替制御部４９は、画像切替部４５に対して画像の切替を指示しない。そして切替制御部４９は、移動体捕捉部４７によって次の移動体が捕捉されるのを待機する（ＳＴ２）。したがって、移動体捕捉部４７によってユーザが捕捉されても、このユーザが映像ディスプレイ１２の画面の側に近づいてきていない場合には、映像ディスプレイ１２の画像は標準画像２１のままである。
【００２４】
移動体が映像ディスプレイ１２の画面の側に近づいてきていると確認された場合（ＳＴ３にてＹＥＳ）、切替制御部４９は、距離測定部４８で測定される当該移動体までの距離Ｌを取得する（ＳＴ４）。そして切替制御部４９は、この測定距離Ｌが、予め設定されている第２の距離Ｘ２［ｍ］より長いか否かを確認する（ＳＴ５）。第２の距離Ｘ２は、捕捉された移動体が映像ディスプレイ１２の画面の直ぐ近くに居ると認定される距離、例えば１［ｍ］とする。
【００２５】
測定距離Ｌが第２の距離Ｘ２［ｍ］以下の場合（ＳＴ５にてＮＯ）、切替制御部４９は、ステップＳＴ２の処理に戻る。すなわち切替制御部４９は、移動体捕捉部４７によって次の移動体が捕捉されるのを待機する（ＳＴ２）。したがって、映像ディスプレイ１２の画面に対して１［ｍ］以内でユーザが捕捉された場合には、映像ディスプレイ１２の画像は標準画像２１のままである。
【００２６】
測定距離Ｌが第２の距離Ｘ２［ｍ］より長い場合（ＳＴ５にてＹＥＳ）、切替制御部４９は、この測定距離Ｌが、予め設定されている第１の距離Ｘ１より短いか否かを確認する（ＳＴ６）。ここで、第１の距離Ｘ１は、映像ディスプレイ１２の画面を略正面から閲覧可能な領域で前記第２の距離Ｘ２よりも充分に長い距離、例えば５［ｍ］とする。
【００２７】
測定距離Ｌが第１の距離Ｘ１［ｍ］以上の場合（ＳＴ６にてＮＯ）、切替制御部４９は、ステップＳＴ２の処理に戻る。すなわち、切替制御部４９は、移動体捕捉部４７によって次の移動体が捕捉されるのを待機する（ＳＴ２）。したがって、移動体として捕捉されたユーザが映像ディスプレイ１２の画面から５［ｍ］以上離れていた場合には、映像ディスプレイ１２の画像は標準画像２１のままである。
【００２８】
測定距離Ｌが第１の距離Ｘ１［ｍ］より短い場合（ＳＴ６にてＹＥＳ）、切替制御部４９は、画像切替部４５に対して不可視化画像の選択を指示する（ＳＴ７）。この指示により、画像切替部４５は不可視化画像記憶部４４に記憶されている不可視化画像２２のデータを画像再生部４６に出力する。かくして、デジタルサイネージ１の映像ディスプレイ１２には、不可視化画像２２が表示される。不可視化画像２２の一例を、図５の画面５２に示す。この例は、デジタルテレビジョンの価格の部分が消去された画像を不可視化画像２２としている。
【００２９】
したがって、映像ディスプレイ１２の画面から１［ｍ］以上でかつ５［ｍ］以内の範囲内で、画面に近づいてくるユーザが捕捉された場合には、映像ディスプレイ１２の画像が標準画像２１から不可視化画像２２に切り替わる。すなわち、標準画像２１の一部、具体的には広告商品の価格が消去される。その結果、大抵のユーザは、消去された部分に何が表示されているのか興味を持ち、画面にさらに近づいてくるであろう。
【００３０】
さて、不可視化画像の選択を指示した後、切替制御部４９は、内蔵のタイマをスタートさせる（ＳＴ８）。そして切替制御部４９は、移動体が継続して捕捉されていることを確認する（ＳＴ９）。移動体が継続して捕捉されている場合（ＳＴ９にてＹＥＳ）、切替制御部４９は、その移動体までの距離Ｌが前記第２の距離Ｘ２より短くなったか否かを確認する（ＳＴ１０）。
【００３１】
移動体までの距離Ｌが未だ第２の距離Ｘ２以上の場合には（ＳＴ１０にてＮＯ）、切替制御部４９は、タイマがタイムアウトしたか否かを確認する（ＳＴ１１）。タイマは、映像ディスプレイ１２の画面までの距離が第１の距離Ｘ１の場所に位置するユーザが第２の距離Ｘ２まで近づくのに要する時間より若干長い時間、例えば５秒をカウントする。タイマがタイムアウトしていない場合（ＳＴ１１にてＮＯ）、切替制御部４９は、ステップＳＴ９の処理に戻る。すなわち切替制御部４９は、移動体が継続して捕捉されていることを確認する（ＳＴ９）。
【００３２】
これに対し、移動体を捕捉できなくなった場合（ＳＴ９にてＮＯ）、または移動体までの距離Ｌが前記第２の距離Ｘ２より短くなった場合（ＳＴ１０にてＹＥＳ）、あるいはタイマがタイムアウトした場合には（ＳＴ１１にてＹＥＳ）、切替制御部４９は、画像切替部４５に対して標準画像の選択を再び指示する（ＳＴ１２）。この指示により、画像切替部４５は標準画像記憶部４３に記憶されている標準画像２１のデータを画像再生部４６に出力する。かくして、デジタルサイネージ１の映像ディスプレイ１２には、図５の画面５３に示すように、標準画像２１が再び表示される。
【００３３】
一方、標準画像の選択を指示した後、切替制御部４９は、タイマを停止させる（ＳＴ１３）。そして、ステップＳＴ２の処理に戻り、切替制御部４９は、次の移動体が捕捉されるのを待機する。
【００３４】
したがって、映像ディスプレイ１２の画面からＸ２［ｍ］以上でかつＸ１（Ｘ１＞Ｘ２）［ｍ］以内の範囲内で捕捉されたユーザが、撮影領域から外れるか、画面からＸ２［ｍ］以内に近づくか、捕捉開始から５秒が経過したならば、映像ディスプレイ１２の画像が不可視化画像２２から標準画像２１に戻される。その結果、消去された部分に何が表示されているのか興味を持ったユーザが、画面からＸ２［ｍ］以内に近づくと、消去されていた部分に広告商品の価格が表示される。
【００３５】
このように、第１の実施形態によれば、不特定のユーザがデジタルサイネージ１の存在に気付いたときに、このサイネージ１の画面に表示されている情報の一部を見えなくしてユーザに興味を持たせ、このユーザがデジタルサイネージ１の画面に近づくと、見えなくした情報を見せるようにしたので、見えなくした情報をユーザに強くアピールすることができる。その結果、デジタルサイネージ１を利用した広告の宣伝効果を一層高めることができる。特に、広告商品の価格を見えなくすることで、その効果は極めて大きなものとなる。
【００３６】
［第２の実施形態］
次に、第２の実施形態について、図６〜８を用いて説明する。なお、第１の実施形態と共通する部分には同一符号を付し、詳しい説明は省略する。
【００３７】
図６は、デジタルサイネージシステムの構成を示すブロック図である。第２の実施形態においても、デジタルサイネージシステムは、デジタルサイネージ１と、コンテンツ記憶部２と、電子カメラ３と、表示制御装置４とを含む。デジタルサイネージ１と電子カメラ３とは、第１の実施形態と同一である。
【００３８】
コンテンツ記憶部２は、１つの広告コンテンツのデータ構造が第１の実施形態と異なる。すなわち第１の実施形態では、標準画像２１と不可視化画像２２との一対のデータから広告コンテンツを構成したが、第２の実施形態では、標準画像２１とマスク識別データ２３との一対のデータから広告コンテンツを構成する。マスク識別データ２３は、後述するマスク画像記憶部４０１に保存されている種々のマスク画像Ｍを個々に識別するためのデータである。
【００３９】
表示制御装置４は、コンテンツ読出部４１、標準画像記憶部４３、画像再生部４６、移動体捕捉部４７、距離測定部４８に加え、マスク画像記憶部４０１、コンテンツ解析部４０２、マスク画像選択部４０３、画像合成部４０４及び合成制御部４０５を含む。
【００４０】
マスク画像記憶部４０１は、例えばフラッシュメモリ等の書き換え可能な記憶媒体であり、標準画像２１の一部の表示データを覆い隠すためのマスク画像Ｍを記憶する。マスク画像Ｍは複数有り、個々に固有のマスク識別データ２３が割当てられている。
【００４１】
コンテンツ解析部４０２は、コンテンツ読出部４１で読み出された広告コンテンツを解析して、標準画像２１とマスク識別データ２３とに分ける。マスク画像選択部４０３は、コンテンツ解析部４０２で解析されたマスク識別データ２３で特定されるマスク画像Ｍをマスク画像記憶部４０１から選択する。画像合成部４０４は、標準画像記憶部４３に記憶される標準画像２１に、マスク画像選択部４０３によって選択されたマスク画像Ｍを合成する。そして画像合成部４０４は、合成された画像データを画像再生部４６に出力する。合成制御部４０５は、映像ディスプレイ１２の画面から移動体までの距離に応じて、画像合成部４０４でマスク画像Ｍを標準画像２１に合成するか否かを制御する。
【００４２】
図７は、合成制御部４０５の制御手順を示す流れ図である。この手順は、図示しないプログラムメモリに格納された表示制御プログラムにしたがい、コンピュータであるＣＰＵによって実現される。
【００４３】
先ず、合成制御部４０５は、画像合成部４０４に対して合成しない旨を指示する（ＳＴ２１）。この指示により、画像合成部４０４は標準画像記憶部４３に記憶されている標準画像２１のデータをそのまま画像再生部４６に出力する。かくして、デジタルサイネージ１の映像ディスプレイ１２には、標準画像２１が表示される。標準画像２１の一例を、図８の画面８１に示す。この例は、広告商品であるデジタルテレビジョンの画像とその価格とを示す広告画像を標準画像２１としている。
【００４４】
次に、合成制御部４０５は、ステップＳＴ２２〜ＳＴ２６として、第１の実施形態の切替制御部４９が実行するステップＳＴ２〜ＳＴ６と同様の手順の処理を実行する。その結果、映像ディスプレイ１２の画面から１［ｍ］以上でかつ５［ｍ］以内の範囲内で、画面に近づいてくるユーザが捕捉された場合には（ＳＴ２６にてＹＥＳ）、合成制御部４０５は、画像合成部４０４に対して合成する旨を指示する（ＳＴ２７）。
【００４５】
この指示により、画像合成部４０４は、標準画像記憶部４３に記憶されている標準画像２１に、マスク画像選択部４０３によってマスク画像記憶部４０１から選択されたマスク画像Ｍを合成する。合成後の画像データは、画像再生部４６に出力される。かくして、デジタルサイネージ１の映像ディスプレイ１２には、標準画像２１にマスク画像Ｍが合成された画像が表示される。合成画像の一例を、図８の画面８２に示す。この例は、標準画像２１の一部、具体的には広告商品の価格の部分に、マスク画像Ｍが合成されて、ユーザが価格を視認できない不可視化状態となる。その結果、大抵のユーザは、不可視化状態となった部分に何が表示されているのか興味を持ち、画面にさらに近づいてくるであろう。
【００４６】
さて、マスク画像Ｍの合成を指示した後、合成制御部４０５は、ステップＳＴ２８〜ＳＴ３１として、第１の実施形態の切替制御部４９が実行するステップＳＴ８〜ＳＴ１１と同様の手順の処理を実行する。その結果、移動体を捕捉できなくなった場合（ＳＴ２９にてＮＯ）、または移動体までの距離Ｌが前記第２の距離Ｘ２より短くなった場合（ＳＴ３０にてＹＥＳ）、あるいはタイマがタイムアウトした場合には（ＳＴ３１にてＹＥＳ）、合成制御部４０５は、画像合成部４０４に対して合成中止を指示する（ＳＴ３２）。この指示により、画像合成部４０４はマスク画像Ｍの合成を中止し、標準画像記憶部４３に記憶されている標準画像２１のデータをそのまま画像再生部４６に出力する。かくして、デジタルサイネージ１の映像ディスプレイ１２には、図８の画面８３に示すように、標準画像２１が再び表示される。
【００４７】
一方、マスク画像Ｍの合成中止を指示した後、合成制御部４０５は、タイマを停止させる（ＳＴ３３）。そして、ステップＳＴ２２の処理に戻り、合成制御部４０５は、次の移動体が捕捉されるのを待機する。
【００４８】
したがって、映像ディスプレイ１２の画面からＸ２［ｍ］以上でかつＸ１（Ｘ１＞Ｘ２）［ｍ］以内の範囲内で捕捉されたユーザが、撮影領域から外れるか、画面からＸ２［ｍ］以内に近づくか、捕捉開始から５秒が経過したならば、映像ディスプレイ１２の画像からマスク画像Ｍが消去される。その結果、不可視化状態となった部分に何が表示されているのか興味を持ったユーザが、画面からＸ２［ｍ］以内に近づくと、不可視化状態となっていた部分に広告商品の価格が表示される。
【００４９】
このように、第２の実施形態においても、第１の実施形態の同様の作用効果を奏することができる。
【００５０】
なお、本発明は、前記各実施形態に限定されるものではない。  
例えば、前記第１の実施形態では、切替制御部４９が、ステップＳＴ３として移動体が映像ディスプレイ１２の画面の側に近づいてきているか否かを確認したが、この処理ステップは省略してもよい。つまり、切替制御部４９は、移動体を捕捉すると、当該移動体が映像ディスプレイ１２の画面の側に近づいているか否かに係らず、当該移動体までの距離Ｌを取得して、ステップＳＴ５以降の処理を実行してもよい。この点は、前記第２の実施形態でも同様であり、合成制御部３０５のステップＳＴ２３の処理ステップを省略してもよい。
【００５１】
また、前記第１の実施形態では、切替制御部４９が、ステップＳＴ５として測定距離Ｌが第２の距離Ｘ２［ｍ］より長いか否かを確認し、長い場合に、ステップＳＴ６として測定距離Ｌが第１の距離Ｘ１より短いか否かを確認したが、先に測定距離Ｌが第１の距離Ｘ１より短いか否かを確認し、短い場合に測定距離Ｌが第２の距離Ｘ２［ｍ］より長いか否かを確認してもよい。この点は、前記第２の実施形態でも同様であり、合成制御部３０５のステップＳＴ２５とステップＳＴ２６との処理ステップを入れ替えてもよい。
【００５２】
また、前記第１の実施形態では、切替制御部４９が、ステップＳＴ１０として移動体までの距離Ｌが前記第２の距離Ｘ２より短くなったか否かを確認したが、この処理ステップは省略してもよい。つまり、切替制御部４９は、移動体を捕捉した後、捕捉できなくなるか、タイマがタイムアウトすると、画像切替部４５に対して標準画像の選択を再び指示するようにしてもよい。この点は、前記第２の実施形態でも同様であり、合成制御部３０５のステップＳＴ３０の処理ステップを省略してもよい。あるいは、前記第１または第２の実施形態では、切替制御部４９または合成制御部４０５がタイマを備えたが、このタイマ機能を省略してもよい。
【００５３】
また、前記各実施形態では、電子カメラ３で撮影された画像から移動体を認識し、映像ディスプレイ１２の画面から移動体までの距離に応じて広告画像の一部を不可視化したが、デジタルサイネージ１の周囲に居るユーザの視線を監視し、映像ディスプレイ１２の画面を見たと検知すると、広告画像の一部を不可視化するようにしてもよい。また、不可視化する情報は、広告商品の価格に限定されるものではなく、商品名や割引率などであってもよい。
【００５４】
なお、前記各実施形態は、装置内部のプログラム記憶部に発明の機能を実現させる制御プログラムが予め記録されているものとした。しかしこれに限らず、同様のプログラムがネットワークから装置にダウンロードされてもよい。あるいは、記録媒体に記録された同様のプログラムが、装置にインストールされてもよい。記録媒体は、ＣＤ−ＲＯＭ，メモリカード等のようにプログラムを記憶でき、かつ装置が読み取り可能であれば、その形態は問わない。また、プログラムのインストールやダウンロードにより得る機能は、装置内部のＯＳ（オペレーティング・システム）等と協働してその機能を実現させるものであってもよい。
【００５５】
この他、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５６】
１…デジタルサイネージ、２…コンテンツ記憶部、３…電子カメラ、４…表示制御装置、４１…コンテンツ読出部、４２，４０２…コンテンツ解析部、４３…標準画像記憶部、４４…不可視化画像記憶部、４５…画像切替部、４６…画像再生部、４７…移動体捕捉部、４８…距離測定部、４９…切替制御部、４０１…マスク画像記憶部、４０３…マスク画像選択部、４０４…画像合成部、４０５…合成制御部。
【図１】
2014026040.tif 000003
【図２】
2014026040.tif 000004
【図３】
2014026040.tif 000005
【図４】
2014026040.tif 000006
【図５】
2014026040.tif 000007
【図６】
2014026040.tif 000008
【図７】
2014026040.tif 000009
【図８】
2014026040.tif 000010